(57)【特許請求の範囲】
【請求項１】
媒体の発行を行う発行機、精算処理を行う精算機、及び、利用者の提示した媒体に記憶された識別情報に基づいてゲート扉の開閉を行うことにより前記利用者の通行を許可或いは禁止する自動改札機が各駅に設置され、それら各駅に設置された各駅務機器と通信回線を介して通信可能に接続された管理サーバとからなる駅務システムであって、
前記発行機は、
媒体発行の際に設定された媒体の識別情報及び乗車情報からなる第1の情報を前記管理サーバに送信する送信手段と、
前記媒体の識別情報及び有効期限からなる第２の情報を書き込んだ媒体を発行する発行手段と、を有し、
前記管理サーバは、
前記発行機より送信された第１の情報を受信して記憶する受信記憶手段と、
前記受信記憶手段によって記憶された第１の情報に含まれる乗車情報に基づいて、前記自動改札機のうち、前記媒体の発行駅から乗車料金額の範囲内の駅に設置された第１の自動改札機又は、前記乗車料金額の範囲外の駅に設置された第２の自動改札機の何れであるかを判別する判別手段と、
前記判別手段による判別結果に基づいて設定された前記第1の自動改札機及び第２の自動改札機に前記第２の情報を送信する送信手段と、を有し、
前記第１の自動改札機のうち前記発行駅に設置された入札機は、
前記管理サーバによって送信された第２の情報を受信して記憶する受信記憶手段と、
利用者によって提示された媒体に記憶される識別情報と、前記受信記憶手段によって第２の情報を記憶したメモリに記憶されている識別情報が一致するか否かを判定する判定手段と、
前記判定手段によって一致すると判定されたとき利用者の通行を許可すべくゲート扉を開放制御する制御手段と、
当該媒体が当該入札機で使用されたことを前記管理サーバに送信する送信手段と、
前記受信記憶手段によって記憶された当該媒体に係る第２の情報及び有効期限が過ぎた媒体に係る第２の情報を削除する削除手段と、を有し、
前記第１の自動改札機は、
前記管理サーバによって送信された第２の情報を受信して記憶する受信記憶手段と、
利用者によって提示された媒体に記憶された識別情報と、前記受信記憶手段によって第２の情報を記憶したメモリに記憶されている識別情報が一致するか否かを判定する判定手段と、
前記判定手段によって一致すると判定されたとき、利用者の通行を許可すべくゲート扉を開放制御する制御手段と、
前記媒体が当該自動改札機で使用されたことを前記管理サーバに送信する送信手段と、
前記受信記憶手段によって記憶された当該媒体に係る第２の情報及び有効期限が過ぎた媒体に係る第２の情報を削除する削除手段と、を有し、
前記管理サーバはさらに、
前記入札機から媒体が使用された旨の通知を受けた場合には、当該媒体に係る乗車情報にその旨を追加する乗車情報追加手段と、
前記第１又は第２の自動改札機から出場した旨の通知を受けた場合には、
前記受信記憶手段によって記憶された当該媒体に係る第２の情報、及び有効期限が過ぎた媒体に係る第２の情報を削除する削除手段と、
当該通知を受けた第１又は第２の自動改札機以外の自動改札機に、前記第２の情報を削除する旨の指示を送信する第２の送信手段と、
を有することを特徴とする駅務システム。
【請求項２】
媒体の発行を行う発行機、精算処理を行う精算機、及び、利用者の提示した媒体に記憶された識別情報に基づいてゲート扉の開閉を行うことにより前記利用者の通行を許可或いは禁止する自動改札機が各駅に設置され、それら各駅に設置された各駅務機器と通信回線を介して通信可能に接続された管理サーバとからなる駅務システムの発行機であって、
媒体発行の際に設定された媒体の識別情報及び乗車情報からなる第1の情報を前記管理サーバに送信する送信手段と、
前記媒体の識別情報及び有効期限からなる第２の情報を書き込んだ媒体を発行する発行手段と、を有することを特徴とする発行機。
【請求項３】
媒体の発行を行う発行機、精算処理を行う精算機、及び、利用者の提示した媒体に記憶された識別情報に基づいてゲート扉の開閉を行うことにより前記利用者の通行を許可或いは禁止する自動改札機が各駅に設置され、それら各駅に設置された各駅務機器と通信回線を介して通信可能に接続された管理サーバとからなる駅務システムの管理サーバであって、
前記発行機より送信された第１の情報を受信して記憶する受信記憶手段と、
前記受信記憶手段によって記憶された第１の情報に含まれる乗車情報に基づいて、前記自動改札機のうち、前記媒体の発行駅から乗車料金額の範囲内の駅に設置された第１の自動改札機又は、前記乗車料金額の範囲外の駅に設置された第２の自動改札機の何れであるかを判別する判別手段と、
前記判別手段による判別結果に基づいて設定された前記第1の自動改札機に前記媒体の識別情報及び有効期限からなる第２の情報を送信する送信手段と、
前記第1又は第２の自動改札機で入場の際に媒体が使用された旨の通知を受けた場合には、当該媒体に係る乗車情報にその旨を追加する乗車情報追加手段と、
前記第１又は第２の自動改札機から出場した旨の通知を受けた場合には、
前記受信記憶手段によって記憶された当該媒体に係る第２の情報、及び有効期限が過ぎた媒体に係る第２の情報を削除する削除手段と、
当該通知を受けた第１又は第２の自動改札機以外の自動改札機に、前記第２の情報を削除する旨の指示を送信する第２の送信手段と、
を有することを特徴とする駅務システムの管理サーバ。
【請求項４】
前記請求項１に記載の駅務システムに対応可能な自動改札機であって
前記媒体の発行駅から乗車料金額の範囲内の駅に設置され、
前記管理サーバによって送信された第２の情報を受信して記憶する受信記憶手段と、
利用者によって提示された媒体に記憶された識別情報と、前記受信記憶手段によって第２
の情報を記憶したメモリに記憶されている識別情報が一致するか否かを判定する判定手段
と、
前記判定手段によって一致すると判定されたとき、利用者の通行を許可すべくゲー
ト扉を開放制御する制御手段と、
前記媒体が当該自動改札機で使用されたことを前記管理サーバに送信する送信手段と、
前記受信記憶手段によって記憶された当該媒体に係る第２の情報及び有効期限が過ぎた媒
体に係る第２の情報を削除する削除手段と、
を有することを特徴とする自動改札機。
【発明の詳細な説明】
【技術分野】
【０００１】
駅務システム、発行機、管理サーバ、入札機及び自動改札機に関する。
【背景技術】
【０００２】
従来の駅務システムは、乗車媒体として磁気券ではなくＲＦＩＤ（Ｒａｄｉｏ  Ｆｒｅｑｕｅｎｃｙ  ＩＤｅｎｔｉｆｉｃａｔｉｏｎ）タグを利用することにより、無線通信によって入場処理、或いは出場処理などのＲＦＩＤタグに記憶されている情報の読取処理、書込処理が可能な駅務システムが知られている。尚、当該駅務システムは磁気券読取のための機械的機構を省略することができる（例えば、特許文献１）。
【先行技術文献】
【特許文献】
【０００３】
【特許文献１】特開２００６−２６８２３１号公報（第４頁、図１）
【発明の概要】
【発明が解決しようとする課題】
【０００４】
乗車媒体としてＲＦＩＤタグを利用する従来の駅務システムでは、ＲＦＩＤタグに記憶された情報（識別情報（当該媒体を識別する情報）、乗車情報（運賃、乗車駅などに関する情報）など）の読取（Ｒｅａｄ）処理を行った後、当該情報の書込（Ｗｒｉｔｅ）処理を行うといった２種類の処理を行う必要が生じる。その為、ＲＦＩＤタグには高い処理性能が要求され、例えば、駅務システムを構成する自動改札機を通過する際（入場：駅構外から駅構内へ、或いは出場：駅構内から駅構外へ）にＲＦＩＤタグに記憶された情報の読取処理を行った後に行われる書込処理の際に処理エラーが生じることがあり利用者にとって必ずしも利便性の良いものとは言えなかった。
【０００５】
そこで本発明は、乗車媒体には識別情報のみを記憶し、入場処理、出場処理などに必要な情報である乗車情報などは識別情報と関連付けして上位サーバにて一元管理することにより利用者にとって利便性の良い駅務システム、当該駅務システムを構成する発行機、精算機、上位サーバ及び自動改札機を提供することを目的とする。
【課題を解決するための手段】
【０００６】
上記目的を達成するために、請求項１記載の駅務システムは、媒体の発行を行う発行機、精算処理を行う精算機、及び、利用者の提示した媒体に記憶された識別情報に基づいてゲート扉の開閉を行うことにより前記利用者の通行を許可或いは禁止する自動改札機が各駅に設置され、それら各駅に設置された各駅務機器と通信回線を介して通信可能に接続された管理サーバとからなる駅務システムであって、前記発行機は、媒体発行の際に設定された媒体の識別情報及び乗車情報からなる第１の情報を前記管理サーバに送信する送信手段と、前記媒体の識別情報及び有効期限からなる第２の情報を書き込んだ媒体を発行する発行手段と、を有し、前記管理サーバは、前記発行機より送信された第１の情報を受信して記憶する受信記憶手段と、前記受信記憶手段によって記憶された第１の情報に含まれる乗車情報に基づいて、前記自動改札機のうち、前記媒体の発行駅から乗車料金額の範囲内の駅に設置された第１の自動改札機又は、前記乗車料金額の範囲外の駅に設置された第２の自動改札機の何れであるかを判別する判別手段と、前記判別手段による判別結果に基づいて設定された前記第1の自動改札機及び第２の自動改札機に前記第２の情報を送信する送信手段と、を有し、前記第１の自動改札機のうち前記発行駅に設置された入札機は、前記管理サーバによって送信された第２の情報を受信して記憶する受信記憶手段と、利用者によって提示された媒体に記憶される識別情報と、前記受信記憶手段によって第２の情報を記憶したメモリに記憶されている識別情報が一致するか否かを判定する判定手段と、前記判定手段によって一致すると判定されたとき利用者の通行を許可すべくゲート扉を開放制御する制御手段と、当該媒体が当該入札機で使用されたことを前記管理サーバに送信する送信手段と、前記受信記憶手段によって記憶された当該媒体に係る第２の情報及び有効期限が過ぎた媒体に係る第２の情報を削除する削除手段と、を有し、前記第１の自動改札機は、前記管理サーバによって送信された第２の情報を受信して記憶する受信記憶手段と、利用者によって提示された媒体に記憶された識別情報と、前記受信記憶手段によって第２の情報を記憶したメモリに記憶されている識別情報が一致するか否かを判定する判定手段と、前記判定手段によって一致すると判定されたとき、利用者の通行を許可すべくゲート扉を開放制御する制御手段と、前記媒体が当該自動改札機で使用されたことを前記管理サーバに送信する送信手段と、前記受信記憶手段によって記憶された当該媒体に係る第２の情報及び有効期限が過ぎた媒体に係る第２の情報を削除する削除手段と、を有し、前記管理サーバはさらに、前記入札機から媒体が使用された旨の通知を受けた場合には、当該媒体に係る乗車情報にその旨を追加する乗車情報追加手段と、前記第１又は第２の自動改札機から出場した旨の通知を受けた場合には、前記受信記憶手段によって記憶された当該媒体に係る第２の情報、及び有効期限が過ぎた媒体に係る第２の情報を削除する削除手段と、当該通知を受けた第１又は第２の自動改札機以外の自動改札機に、前記第２の情報を削除する旨の指示を送信する第２の送信手段と、を有する。
【０００７】
また、請求項２記載の発行機は、媒体の発行を行う発行機、精算処理を行う精算機、及び、利用者の提示した媒体に記憶された識別情報に基づいてゲート扉の開閉を行うことにより前記利用者の通行を許可或いは禁止する自動改札機が各駅に設置され、それら各駅に設置された各駅務機器と通信回線を介して通信可能に接続された管理サーバとからなる駅務システムの発行機であって、媒体発行の際に設定された媒体の識別情報及び乗車情報からなる第1の情報を前記管理サーバに送信する送信手段と、前記媒体の識別情報及び有効期限からなる第２の情報を書き込んだ媒体を発行する発行手段と、を有する。
【０００８】
また、請求項３記載の管理サーバは、媒体の発行を行う発行機、精算処理を行う精算機、及び、利用者の提示した媒体に記憶された識別情報に基づいてゲート扉の開閉を行うことにより前記利用者の通行を許可或いは禁止する自動改札機が各駅に設置され、それら各駅に設置された各駅務機器と通信回線を介して通信可能に接続された管理サーバとからなる駅務システムの管理サーバであって、前記発行機より送信された第１の情報を受信して記憶する受信記憶手段と、前記受信記憶手段によって記憶された第１の情報に含まれる乗車情報に基づいて、前記自動改札機のうち、前記媒体の発行駅から乗車料金額の範囲内の駅に設置された第１の自動改札機又は、前記乗車料金額の範囲外の駅に設置された第２の自動改札機の何れであるかを判別する判別手段と、前記判別手段による判別結果に基づいて設定された前記第1の自動改札機に前記媒体の識別情報及び有効期限からなる第２の情報を送信する送信手段と、前記第1又は第２の自動改札機で入場の際に媒体が使用された旨の通知を受けた場合には、当該媒体に係る乗車情報にその旨を追加する乗車情報追加手段と、前記第１又は第２の自動改札機から出場した旨の通知を受けた場合には、前記受信記憶手段によって記憶された当該媒体に係る第２の情報、及び有効期限が過ぎた媒体に係る第２の情報を削除する削除手段と、当該通知を受けた第１又は第２の自動改札機以外の自動改札機に、前記第２の情報を削除する旨の指示を送信する第２の送信手段と、を有する。
【０００９】
また、請求項４記載の自動改札機は、前記請求項１に記載の駅務システムに対応可能な自動改札機であって、前記媒体の発行駅から乗車料金額の範囲内の駅に設置され、前記管理サーバによって送信された第２の情報を受信して記憶する受信記憶手段と、利用者によって提示された媒体に記憶された識別情報と、前記受信記憶手段によって第２の情報を記憶したメモリに記憶されている識別情報が一致するか否かを判定する判定手段と、前記判定手段によって一致すると判定されたとき、利用者の通行を許可すべくゲート扉を開放制御する制御手段と、前記媒体が当該自動改札機で使用されたことを前記管理サーバに送信する送信手段と、前記受信記憶手段によって記憶された当該媒体に係る第２の情報及び有効期限が過ぎた媒体に係る第２の情報を削除する削除手段と、を有する。
【発明の効果】
【００１３】
本発明によれば、利用者にとって利便性の良い駅務システム、発行機、精算機、上位サーバ及び自動改札機を提供することができる。
【図面の簡単な説明】
【００１４】
【図１】本発明の一実施の形態に係る駅務システム１の構成例を概略的に示す概略構成図である。
【図２】図１に示す駅務システム１に適用可能な発行機１００の構成を概略的に示す概略構成図である。
【図３】図１に示す駅務システム１に適用可能な自動改札機２００の構成を概略的に示す概略構成図である。
【図４】図１に示す駅務システム１に適用可能な精算機３００の構成を概略的に示す概略構成図である。
【図５】図１に示す駅務システム１の処理フロー簡略的を示した図である。
【図６】乗車情報を概念的に示す概念図である。
【図７】乗車情報に有効期限情報を付加した概念図である。
【発明を実施するための形態】
【００１５】
以下、この発明の一実施の形態に係る駅務システム、発行機、精算機、上位サーバ（請求項中の管理サーバ）及び自動改札機について図面を参照して説明する。
【００１６】
（実施の形態）
図１は、本発明の一実施の形態に係る駅務システム１の構成例を概略的に示す概略構成図である。
【００１７】
駅務システム１は、鉄道などの交通機関における駅務処理を行う種々の駅務機器（後述の定期券発行機、発行機１００、自動改札機２００及び精算機３００などを総称して駅務機器とする）から構成されるシステムである。駅務システム１では、利用者が所持し、乗車券として用いられる情報記憶媒体（ここで、情報記憶媒体には磁気式の媒体は含まず、無線式の媒体を指す。ここで無線式の媒体とは、種々の駅務機器と無線通信が可能なＩＣチップを内蔵した携帯電話などの携帯端末機器、ＩＣチップを内蔵したＩＣカードなどである。以下、特に説明がない限り、この無線式の媒体を単に媒体とする）に記憶されている情報に基づいて、鉄道などの交通機関の利用を可能とするものである。
【００１８】
鉄道の各駅（駅Ａ、駅Ｂ、…）には駅サーバ２０が設置されている。この駅サーバ２０には、発行機１００、及び、監視盤を介して一以上の自動改札機２００が接続されている。さらに、各駅の駅サーバ２０には、定期券発行機（利用者による操作を受け付けて定期券を発行する自動定期券発行機、及び、係員による操作を受け付けて定期券を発行する係員対応定期券発行機を含む）、精算機３００などが接続されている。  これらの各駅サーバ２０は、上位サーバ１０により集中管理されている。これらの各機器は、専用回線や公衆回線などの通信回線を利用して接続され、ネットワークを構築している。
【００１９】
上位サーバ１０は、駅務システム１全体を制御するとともに下位に接続された各種駅務機器を制御するものであって、ＣＰＵ１１（請求項中の判別手段として機能する）を有している。このＣＰＵ１１には、メモリ部１２（請求項中の第１の受信記憶手段の記憶手段として機能する）、通信制御部１３（請求項中の第１の受信記憶手段の受信機能、第２の送信手段として機能する）等が接続されている。
【００２０】
メモリ部１２は、上位サーバ１０自体及び下位の機器を制御するための制御データなどの各種データ、後述の第１の情報（識別情報（図６のＤ１）、発行日（図６のＤ２）、発行駅（図６のＤ３）及び料金に関する情報（図６のＤ４））、及び識別情報（図７のＤ１）、有効期限（（図７のＤ２））に関する情報からなる第２の情報を含んでいる。
【００２１】
通信制御部１３は、下位の機器との間で通信回線を介して種々のデータの送受信を行う。
【００２２】
ここで判別手段として機能するＣＰＵ１１の行う判別とは、詳細は後述するが発行機１００から送信された情報（料金（運賃）に関する情報、例えば２５０円など）に基づいて、媒体を発行した駅（以下、発行駅（請求項中の発行駅）とする）から料金の範囲内の駅（例えば２５０円区間内）に設置された自動改札機と発行駅から料金の範囲外の駅（例えば２５０円区間外）に設置された自動改札機とを判別することを指す。
【００２３】
次に、発行機１００の構成について説明する。図２に示すように、発行機１００は、ＣＰＵ１０１を備えている。このＣＰＵ１０１には、メモリ部１０２、操作部１０３、表示部１０４、発行部１０５（請求項中の発行手段として機能する）、通信制御部１０６（請求項中の送信手段として機能する）などが接続されている。
【００２４】
メモリ部１０２は、ＣＰＵ１０１の制御プログラムや、媒体を発行するのに必要な各種データを記憶しているとともに、上位サーバ１０から配信されたデータや、媒体から読み取ったデータなどを一時的に記憶する機能を有している。
【００２５】
操作部１０３は、媒体を発行するのに必要な各種条件の設定（すなわち入場処理或いは、出場処理に必要な乗車情報として、乗車駅、料金などの情報の入力）を受け付ける機能を有しており、タッチパネルや各種入力ボタンなどで構成されている。表示部１０４は、媒体を発行するための案内画面や、操作部１０３を介して設定された各種条件、発行するのに必要な金額、利用者によって投入された金額、及び、釣銭額などを表示し、発行機１００の動作状態など種々の情報も表示する。
【００２６】
発行部１０５は、操作部１０３を介して入力された各種条件に基づき、所定の情報を有する媒体を発行する機能を有している。この発行部１０５は、媒体に対して、媒体を受け取って無線通信を行い、乗車情報などをメモリ部１０２に書き込んで媒体を発行する機能を有して構成されている。
【００２７】
通信制御部１０６は、媒体Ｐとの無線通信を行い、上位サーバ１０に後述する図６に示す第１の情報を送信し、媒体Ｐに対して後述する図７に示す第２の情報（識別情報）を書込む。
【００２８】
次に、自動改札機２００の構成について説明する。請求項中では、媒体の発行駅から乗車料金範囲内の駅に設置された自動改札機を第１の自動改札機、媒体の発行駅から乗車料金範囲外の駅に設置された自動改札機を第２の自動改札機とし、発行機の設置されている駅に設置された自動改札機を入札機としたが、構成に関して同様であるため自動改札機２００として説明する。
【００２９】
図３に示すように、自動改札機２００はＣＰＵ２０１（請求項中の第１の判定手段、第２の判定手段、及び、第３の判定手段として機能する）を備えている。また、このＣＰＵ２０１には、メモリ部２０２（第２の受信記憶手段、第３の受信記憶手段、及び、第４の受信記憶手段の記憶手段として機能する）、案内部２０３（請求項中の案内手段として機能する）、券処理部２０４、人間検知部２０６、ドア機構２０７（請求項中の第１の制御手段、第２の制御手段、第３の制御手段、及び第４の制御手段として機能する。また、請求項中ではドア機構を構成するドアをゲート扉とする）、通信制御部２０８（第２の受信記憶手段、第３の受信記憶手段、及び、第４の受信記憶手段の受信手段として機能する）などが接続されている。
【００３０】
メモリ部２０２は、ＣＰＵ２０１の制御プログラムや、運賃データなどの各種データを記憶しているとともに、上位サーバ１０から配信されたデータや、媒体から読み取ったデータなどを一時的に記憶する機能を有している。案内部２０３は、自動改札機２００を利用する利用者を案内する機能を有しており、画面表示により案内する表示部、及び、音声案内するスピーカ部などで構成されている。すなわち、この案内部２０３は、利用金額や残額、入場処理或いは出場処理の結果、（すなわち、改札通路の通行を許可するか否かの判定結果、この判定について詳細は後述する）、さらには、自動改札機２００の動作状態など種々の情報を案内する。
【００３１】
券処理部２０４は、媒体を処理する機能を有している。媒体の処理とは通信可能な通信エリアに翳された媒体との間で無線通信を行い必要な情報を読み取る処理である。
【００３２】
自動改札機２００において、人間検知部２０６は、改札通路の利用者を検知する機能を有している。ドア機構２０７は、下記に示す判定の結果、判定ＯＫと判断されたのに基づいて改札通路を開放して利用者の改札通路の通行を許可し、また、判定ＮＧと判断されたのに基づいて改札通路を閉鎖して利用者の改札通路の通行を禁止する機能を有している。
【００３３】
ここで、第１の判定手段、第２の判定手段、及び第３の判定手段として機能するＣＰＵ２０１の行う判定とは、詳細は後述するが、利用者の提示媒体に記憶された識別情報と一致する情報がメモリ部２０２に記憶されているか否かの判定である。
【００３４】
つまり、利用者の提示媒体に記憶された識別情報とメモリ部２０２に記憶された識別情報とが一致する情報が記憶されているときの判定は判定ＯＫ、一致する情報が記憶されていないときの判定は判定ＮＧである。
【００３５】
通信制御部２０８は、上位サーバ１０との間で通信回線を介して種々のデータの送受信を行う。
【００３６】
次に、精算機３００の構成について説明する。図４に示すように、精算機３００は、ＣＰＵ３０１を備えている。このＣＰＵ３０１には、メモリ部３０２（請求項中の記憶手段として機能する）、操作部３０３、表示部３０４、現金処理部３０５、カード処理部３０６（請求項中の読取手段として機能する）、精算部３０７（請求項中の精算処理手段として機能する）及び通信制御部３０８（請求項中の第３の送信手段として機能する）などが接続されている。
【００３７】
メモリ部３０２は、ＣＰＵ３０１の制御プログラムや、上位サーバ１０から配信されたデータや、媒体から読み取ったデータ及び当該精算機が設置される駅についての情報（請求項中の駅情報）などを記憶する機能を有している。操作部３０３は、精算の指示を行うものであり、タッチパネルの液晶表示部（ＬＣＤ）によって構成される。
【００３８】
表示部３０４は、操作部３０３を介して設定された金額、釣銭額、精算機３００の動作状態など種々の情報を表示する。
【００３９】
通信制御部３０８は、上位サーバ１０との間で通信回線を介して種々のデータの送受信を行う。
【００４０】
ここで現金処理部３０５は、利用者から受け取った現金を計数処理し、カード処理部３０６は、利用者から提示された媒体を受け取り読取処理などを行う。
【００４１】
図５は、図１に示した駅務システム１の処理フローを示した図である。図５に示すように自動改札機２００ａ（α駅に設置）（請求項中の入札機）、２００ｂ（β駅に設置）及び２００ｃ（γ駅に設置）（請求項中の第１の自動改札機）、及び、２００ｄ（δ駅に設置）（請求項中の第２の自動改札機）はそれぞれ複数台から成るが、総称して２００ａ、２００ｂ、２００ｃ及び２００ｄとする。また、発行機１００はα駅に設置され、精算機３００はδ駅に設置されているものとして本発明の実施の形態に係る処理について説明する。
【００４２】
また、利用者がα駅で乗車しβ駅で降車する場合、また、α駅で乗車しδ駅で降車する場合を用いて説明する。
【００４３】
利用者は乗車する際、乗車駅（α駅）にて発行機１００によりメモリ部１０２に識別情報（本発明の実施形態では、識別情報：ａｂｃｄ１２３４５とする）が付記された乗車券である媒体Ｐを発行する（Ｓ１）（発行手段）。発行機１００は、Ｓ１において発行された媒体Ｐの識別番号（ａｂｃｄ１２３４５）を読取る（Ｓ２）。
【００４４】
発行機１００は、Ｓ２において読取った媒体に記憶された識別情報（ａｂｃｄ１２３４５）に乗車情報（本発明の実施形態では、発行日：２００９／１１／２０、発行駅：α駅、料金（運賃）：２３０円とする）を付加して通信制御部１０６を介して上位サーバ１０に送信する（Ｓ３）（第１の送信手段）（ここで送信する情報（請求項中の第１の情報）は、図６に示す）。
【００４５】
上位サーバ１０は、Ｓ３において発行機１００から送信された情報（第１の情報）を通信制御部１３を介して受信して、メモリ部１２に記憶する（Ｓ３）（第１の受信記憶手段）、第１の情報に含まれる乗車情報（ａｂｃｄ１２３４５）に基づいて媒体Ｐを発行した駅（以下、発行駅（請求項中の発行駅）とする。本発明の実施の形態ではα駅を指す）から料金の範囲内（つまり、２３０円区間内）の駅に設置された自動改札機と発行駅から料金の範囲外（つまり、２３０円区間外）の駅に設置された自動改札機とを判別する（判別手段）。
【００４６】
そして、媒体Ｐを発行したα駅の入札口に設置された複数の自動改札機２００ａと、上述の判別の結果、発行駅から料金の範囲内の駅に設置された自動改札機及び発行駅から料金の範囲外の駅に設置された自動改札機に対して、第１の情報に含まれる識別情報（ａｂｃｄ１２３４５）に当該識別情報の有効期限（例えば、本発明の実施の形態では２日間（１１／２２まで））である有効期限情報を付加して第２の情報（図７に示す）として通信制御部１３を介して送信する（Ｓ４、Ｓ５、Ｓ２０）（送信手段）。
【００４７】
自動改札機２００ａ、自動改札機２００ｂ、自動改札機２００ｃは、Ｓ４、Ｓ５において送信された第２の情報を通信制御部２０８を介して受信し、受信した第２の情報を自動改札機ａ（第２の受信記憶手段）、自動改札機２００ｂ及び自動改札機２００ｃ（第３の受信記憶手段）各々のメモリ部２０２に記憶する（Ｓ４、Ｓ５）。
【００４８】
発行機１００によって発行された媒体Ｐを所持した利用者が駅構外から駅構内（α駅）へ入場する際、自動改札機２００ａは利用者によって提示された媒体Ｐを読取り、読取った媒体Ｐに記憶された識別情報と一致する識別情報が、Ｓ４、Ｓ５において記憶した第２の情報に含まれるか否かを判定する（第１の判定手段）（つまり、読取った媒体Ｐに記憶された識別情報がａｂｃｄ１２３４５であるか否か）。この判定の結果、利用者の提示した媒体に記憶された識別情報と一致する識別情報がＳ４、Ｓ５において記憶した第２の情報に含まれると判定されたとき（つまり判定の結果、利用者の提示媒体に記憶された識別情報がａｂｃｄ１２３４５であった場合）であって、ドアを開放制御する（Ｓ６）（第１の制御手段）
また、自動改札機２００ａはＳ６においてドアを開放制御するとともにメモリ部２０２に記憶されている第２の情報を削除する。更に、当該識別情報（ａｂｃｄ１２３４５）を記憶した媒体を有する利用者が入場した旨を上位サーバ１０に通信制御部２０８を介して送信する（Ｓ７）。
【００４９】
上位サーバ１０は、Ｓ７において送信された当該識別情報（ａｂｃｄ１２３４５）を記憶した媒体を有する利用者が入場した旨を受信すると複数の自動改札機２００ａのうち、他の入札機（α駅に設置された自動改札機２００ａのうち、利用者が入場する際に利用した自動改札機以外の自動改札機を指す）に対して、メモリ部２０２に記憶されている当該識別情報（ａｂｃｄ１２３４５）を有する第２の情報（以下、第２の情報（識別情報：ａｂｃｄ１２３４５）とする）を削除する旨の指示を送信する（Ｓ８）。Ｓ８において第２の情報（識別情報：ａｂｃｄ１２３４５、有効期限２００９／１１／２２）を削除する旨の指示を受信した他の入札機は、第２の情報（識別情報：ａｂｃｄ１２３４５、有効期限２００９／１１／２２）を削除する。
【００５０】
駅構内（α駅）へ入場した利用者が出場する際の自動改札機２００ｂ、自動改札機ｃ及び自動改札機２００ｄ（出札機）の処理を説明する。
【００５１】
以下、α駅で乗車した利用者がβ駅で降車する場合を説明する。α駅より駅構内へ入場した利用者が駅構外（β駅）へ出場する際、自動改札機２００ｂは利用者から提示された媒体Ｐを読取る。その読み取った媒体Ｐに記憶された識別情報と一致する識別情報がメモリ部２０２に記憶されている第２の情報に含まれるか否かを判定する（つまり、読取った媒体Ｐに記憶された識別情報がａｂｃｄ１２３４５と一致するか否か）。
【００５２】
この判定の結果、一致すると判定されたとき（つまり、利用者から提示された媒体Ｐに識別情報：ａｂｃｄ１２３４５が記憶されていると判定された）ドアを開放制御するとともに（第２の制御手段）、メモリ部２０２に記憶されている第２の情報を削除する。更に、当該識別情報（ａｂｃｄ１２３４５）を記憶する媒体Ｐを有する利用者が出場した旨を上位サーバ１０に通信制御部２０８を介して送信する（Ｓ１０）。
【００５３】
Ｓ１０において自動改札機２００ｂから送信された当該識別情報（ａｂｃｄ１２３４５）を記憶する媒体Ｐを有する利用者が出場した旨を上位サーバ１０が通信制御部１３を介して受信したとき、上位サーバ１０は他の出札機（自動改札機２００ｂのうち、利用者が出場の際に利用した自動改札機以外の自動改札機を指す）及び自動改札機２００ｃに対してメモリ部２０２に記憶されている第２の情報（図７参照）を削除する旨の指示を送信する（Ｓ１１）。Ｓ１１において送信された第２の情報を削除する旨の指示を受信した他の出札機及び自動改札機２００ｃは、メモリ部２０２に記憶された第２の情報を削除する。
【００５４】
次に、α駅で乗車した利用者がδ駅（ここで、α駅からδ駅までは３００円区間であるとする）で降車する場合を説明する。以下、α駅より駅構内へ入場した利用者が駅構外（δ駅）へ出場する際、自動改札機２００ｄは利用者から提示された媒体Ｐを読取る。その読み取った媒体Ｐに記憶された識別情報（ａｂｃｄ１２３４５）がメモリ部２０２に記憶されている識別情報に含まれるか否かを判定する。
【００５５】
この判定の結果、一致しないと判定されたとき（つまり、自動改札機２００ｄは料金範囲外の駅に設置された自動改札機であるため識別情報：ａｂｃｄ１２３４５を含む第１の情報及び第２の情報は記憶されていないため）、自動改札機ｄは、ドアを閉鎖制御するとともに（第３の制御手段）案内部２０３によって利用者に対して画面表示、或いは、音声案内により精算機３００で精算処理する必要がある旨を案内する（案内手段）。
【００５６】
自動改札機２００ｄによって精算処理する必要がある旨の案内を受けた利用者が精算機３００にて精算処理をする時、精算機３００は利用者の提示した媒体Ｐを読取り（読取手段）、利用者によって提示された媒体Ｐに記憶された識別情報（ａｂｃｄ１２３４５）に基づいて上位サーバ１０に問い合わせを行う（Ｓ１３）。
【００５７】
上位サーバ１０は、Ｓ１３において問い合わせられた識別情報（ａｂｃｄ１２３４５）、及びメモリ部１２に記憶された第１の情報、駅情報（δ駅）に基づいて発行駅（つまり、乗車駅であるα駅）から降車駅（δ駅）までの料金を算出し（上述したようにα駅からδ駅は３００円区間）、算出された料金情報（本発明の実施の形態では、７０円）を精算機３００に送信する（Ｓ１４）（第３の送信手段）。
【００５８】
精算機３００は、Ｓ１４にて上位サーバ１０から送信された料金情報（７０円）に基づいて利用者に対して追加料金（７０円）を要求し（精算処理手段）、利用者がその要求に応じて精算処理を行うと通信制御部３０８を介して精算処理が完了した旨を上位サーバ１０に送信する（Ｓ１５）。ここで、α駅からδ駅までは３００円区間であり、識別情報：ａｂｃｄ１２３４５の媒体Ｐは２３０円区間まで乗車できるため（第１の情報参照）、追加料金は７０円となる。
【００５９】
Ｓ１５において精算機３００より送信された精算処理が完了した旨を上位サーバ１０が受信すると、上位サーバ１０は精算機３００の設置駅（δ駅）に設置された自動改札機２００ｄに利用者により提示された媒体Ｐに記憶された識別情報（ａｂｃｄ１２３４５）が送信される（Ｓ１６）。
【００６０】
自動改札機ｄは、Ｓ１６において上位サーバ１０によって送信された識別情報（ａｂｃｄ１２３４５）を受信すると、メモリ部２０２に当該識別情報（ａｂｃｄ１２３４５）が記憶される（第４の受信記憶手段）。そして、精算機３００にて精算処理をした利用者が自動改札機ｄを通過する際、提示した媒体Ｐを読取り、自動改札機ｄのメモリ部２０２に記憶された識別情報（ａｂｃｄ１２３４５）と一致するときはドアを開放制御する（Ｓ１７）（第４の制御手段）。
【００６１】
なお、駅務システム１を構成する発行機１００、自動改札機２００、精算機３００は、上記有効期限情報（２００９／１１／２２）に基づいて媒体の有効期限が過ぎた場合で各メモリ部（自動改札機２００：メモリ部２０２）に記憶されている識別情報及び当該識別情報に関連付けされた情報（第１の情報、第２の情報など）が記憶されている場合は削除する。
【００６２】
以上のように、媒体Ｐにはその媒体を識別する識別情報のみを記憶し、上位サーバ１０において入場処理、或いは出場処理するなどの際に必要とされる情報（乗車情報など）と関連付けて管理する。また、利用者が自動改札機２００を通過（入場或いは出場）する際、利用者が提示した媒体Ｐに記憶された識別情報の読取処理のみを行い、媒体への情報の書込処理を行うことなく入場処理或いは出場処理を行うことが可能となるため、乗車媒体への書込処理時の処理エラーの発生を防止することが出来る。
【００６３】
更に、媒体に記憶された識別情報の読取処理のみを行い、書込処理を行わないため本発明に使用する媒体Ｐも読取処理のみが可能な媒体を使用することが可能となりコストの面でも利用者にとって利便性の良いものと言える。
【００６４】
また、上述の実施の形態は駅務システムとして表現されているが、本発明は、媒体に識別情報のみを記憶し、上位サーバにて当該識別情報と関連付けして乗車情報を管理することによって利用者の入場処理或いは出場処理の際の媒体への書込処理を省略し、書込処理時に生じる処理エラーを回避することが出来る駅務システム一般に適用できるものである。
【符号の説明】
【００６５】
媒体  Ｐ
１  駅務システム
１０  上位サーバ
１１  ＣＰＵ
１２  メモリ部
１３  通信制御部
２０  駅サーバ
１００  発行機
２００  自動改札機
３００  精算機
【図５】
0005455464.tif 000002
【図１】
0005455464.tif 000003
【図２】
0005455464.tif 000004
【図３】
0005455464.tif 000005
【図４】
0005455464.tif 000006
【図６】
0005455464.tif 000007
【図７】
0005455464.tif 000008